(57)【要約】【課題】ブラジャーの種類によらず、併用し着用することで、運動時の胸の揺れ軽減効果、すなわち高い防振性を実現し、かつ、防振性に加え、快適性にも優れるブラジャー用チューブトップを提供する。【解決手段】着用者の胸に対応するバスト部と、バスト部から左右の脇に向かって、それぞれ順に配された、バスト脇低伸張部、バスト脇高伸張部および低伸張部と、  バスト部、バスト脇低伸張部、バスト脇高伸張部および低伸張部の上部及び下部に２〜６ｃｍの範囲で配された帯部と、を有し、成型丸編地からなり、５０％繰り返し伸長試験における３回目のバスト部のヨコ方向の伸張応力をＳ１とし、バスト脇低伸張部のヨコ方向の伸張応力をＳ２とし、バスト脇高伸張部のヨコ方向の伸張応力をＳ３とした場合、３.０≦Ｓ２／Ｓ１≦５.０であり、且つ、３.０≦Ｓ２／Ｓ３≦５.０であるブラジャー用チューブトップ。【選択図】図１
2019026967.tif 000002
【特許請求の範囲】
【請求項１】
着用者の胸に対応するバスト部と、
前記バスト部から左右の脇に向かって、それぞれ順に配された、バスト脇低伸張部、バスト脇高伸張部および低伸張部と、
前記バスト部、前記バスト脇低伸張部、前記バスト脇高伸張部および前記低伸張部の上部及び下部に２〜６ｃｍの範囲で配された帯部と、を有し、成型丸編地からなるブラジャー用チューブトップであり、
５０％繰り返し伸長試験における３回目の前記バスト部のヨコ方向の伸張応力をＳ１とし、前記バスト脇低伸張部のヨコ方向の伸張応力をＳ２とし、前記バスト脇高伸張部のヨコ方向の伸張応力をＳ３とした場合、
３.０≦Ｓ２／Ｓ１≦５.０であり、且つ、３.０≦Ｓ２／Ｓ３≦５.０であることを特徴とするブラジャー用チューブトップ。
【請求項２】
前記バスト部と前記バスト脇低伸張部との間に、さらにバスト脇高伸張部が配されている、請求項１に記載のブラジャー用チューブトップ。
【請求項３】
３０%繰り返し伸長試験における３回目の前記帯部のタテ方向の３０％時の伸張応力をＳ４とし、前記バスト部のタテ方向の伸張応力をＳ５とした場合、
３.０≦Ｓ４／Ｓ５≦５.０である、請求項１または２に記載のブラジャー用チューブトップ。
【発明の詳細な説明】
【技術分野】
【０００１】
本発明は着用動作時の胸の揺れを抑えるブラジャー用チューブトップに関する。より詳細には、本発明は、ブラジャーと併用し、ブラジャーの内側に着用することで、着圧を上げることなく、動作時の胸の揺れを低減し、快適性の高い、着用動作時の胸の揺れ抑制効果を備えたブラジャー用チューブトップに関する。
【背景技術】
【０００２】
ブラジャーは胸の形をきれいに整えることを主な目的の一つとするが、運動時の胸の揺れを抑えることも大きな役割の一つである。しかし、ブラジャーを着用していても、歩いたり、走ったりすると、胸が大きく揺れる場合が多い。特に胸のサイズが大きい場合にはその揺れは非常に大きくなり、不快感及び着用者への負担になるばかりか胸の下垂の原因にもなる。この揺れを軽減する方法としては強い着圧のブラジャーをつける方法が効果を奏するが、この方法では着用快適性は著しく悪化する。また、運動時においては、特に胸の揺れはさらに大きくなるため、着用者の動作の妨げになったり、負担になったりと問題がより顕在化する。このため、運動時の胸の揺れを軽減するブラジャーとしてスポーツ用ブラジャーが多数開発されている（特許文献１及び２）。
【０００３】
しかし、近年、ブラジャーのデザイン及び消費者ニーズも多岐にわたっており、ブラジャーの外観が商品購入の決め手となっているケースも多くあり、必ずしも、揺れを低減することに着目した商品を消費者が購入するとは限らないことが現状である。
【０００４】
しかし、運動時の胸の揺れを低減したいという消費者ニーズもあり、消費者が好むブラジャーにおいて動作時の揺れを低減し、快適なブラジャーが望まれている。
【先行技術文献】
【特許文献】
【０００５】
【特許文献１】特許第４４１３５４８号公報
【特許文献２】特許第５５５７５５６号公報
【発明の概要】
【発明が解決しようとする課題】
【０００６】
従って、本発明が解決しようとする課題は、ブラジャーの種類によらず、併用し着用することで、運動時の胸の揺れ軽減効果、すなわち高い防振性を実現することであり、かつ、防振性に加え、快適性にも優れるブラジャー用チューブトップを提供することである。
【課題を解決するための手段】
【０００７】
本発明者らは、上述の課題を解決すべく鋭意研究した結果、ブラジャーの内側に所定の構造を有したチューブトップを着用することで、着用圧を上げることなく、胸の揺れを低減することが可能であることを見出し、本発明に至った。すなわち、本発明は以下のとおりである。
【０００８】
［１］
着用者の胸に対応するバスト部と、
前記バスト部から左右の脇に向かって、それぞれ順に配された、バスト脇低伸張部、バスト脇高伸張部および低伸張部と、
前記バスト部、前記バスト脇低伸張部、前記バスト脇高伸張部および前記低伸張部の上部及び下部に２〜６ｃｍの範囲で配された帯部と、を有し、成型丸編地からなるブラジャー用チューブトップであり、
５０％繰り返し伸長試験における３回目の前記バスト部のヨコ方向の伸張応力をＳ１とし、前記バスト脇低伸張部のヨコ方向の伸張応力をＳ２とし、前記バスト脇高伸張部のヨコ方向の伸張応力をＳ３とした場合、
３.０≦Ｓ２／Ｓ１≦５.０であり、且つ、３.０≦Ｓ２／Ｓ３≦５.０であることを特徴とするブラジャー用チューブトップ。
［２］
前記バスト部と前記バスト脇低伸張部との間に、さらにバスト脇高伸張部が配されている、［１］に記載のブラジャー用チューブトップ。
［３］
３０％繰り返し伸長試験における３回目の前記帯部のタテ方向の３０％時の伸張応力をＳ４とし、前記バスト部のタテ方向の伸張応力をＳ５とした場合、
３.０≦Ｓ４／Ｓ５≦５.０である、［１］または［２］に記載のブラジャー用チューブトップ。
【発明の効果】
【０００９】
本発明のブラジャー用チューブトップは、ブラジャーと併用し、ブラジャーの内側に着用することで、着圧を上げることなく、胸の揺れを低減でき、快適性の高いブラジャーを提供できる。また、本発明によれば、大きいカップサイズの場合、胸の揺れの低減が特に顕著である。
【図面の簡単な説明】
【００１０】
【図１】本発明のブラジャー用チューブトップの構造の一例を示す図である。
【図２】図１のブラジャー用チューブトップの背面の構造の一例を示す図である。
【図３】本発明のブラジャー用チューブトップの構造の一例を示す図である。
【図４】図３のブラジャー用チューブトップの背面の構造の一例を示す図である。
【図５】着用試験において併用するブラジャーの例を示す図である。
【発明を実施するための形態】
【００１１】
以下、本発明の典型的な態様の例について詳細に説明する。
本開示の一態様は、バスト部、バスト脇高伸張部、バスト脇低伸張部、低伸張部及び上端及び下端に帯部を設けたブラジャー用チューブトップを提供する。
【００１２】
図１および図２を参照し、本発明の一態様に係るブラジャー用チューブトップ１は、バスト部２と、バスト部２から左右の脇に向かって、周方向にバスト脇低伸張部３、バスト脇高伸張部（第１のバスト脇高伸張部）４、低伸張部５、バック部６の順で配置され、上端及び下端に帯部７を備える。
【００１３】
本開示のブラジャー用チューブトップ１において、バスト部２は着用者の乳房を受け入れることが想定される。
【００１４】
本開示で、ブラジャー用チューブトップに関して言及する「ヨコ方向」（例えば、バスト部のヨコ方向）とは、２つのバスト部の配列方向であり、具体的には、ブラジャー用チューブトップを平置きした状態で、２つのバスト部のバストトップ位置が互いに最も離れるようにブラジャー用チューブトップを置いたときの、２つのバストトップ位置を結ぶ直線の方向を意図する。本開示で、ブラジャー用チューブトップの「タテ方向」とは、上記ヨコ方向と垂直の方向であり、着用者の身体の上下方向に対応することが意図される。
【００１５】
本開示で、「バストトップ位置」とは、ブラジャー用チューブトップ着用時に着用者のバストトップに対応する位置（すなわち着用者の乳首に対応する位置）を意図する。本開示で、ブラジャー用チューブトップの「前中心線」及び「背中心線」とは、それぞれ、２つのバストトップ位置を結ぶ線分の中点を通ってブラジャー用チューブトップのタテ方向に延びる線であって、前中心線はフロント部上、背中心線は、前中心線から左右にバスト部、バスト脇低伸張部、バスト脇高伸張部、低伸張部を通ったのち、左右から伸ばした線の交点（つまり前中心より直線距離で最も離れた点）において縦方向に延びる線であり、伸張部上の線である。
【００１６】
本開示で、ブラジャー用チューブトップの周長とは、本体において、前中心線から背中心線を通って前中心線に戻るように引いた線の最短長さを意図する。
【００１７】
バスト部２においては、５０％繰り返し伸長試験における３回目のバスト部２のヨコ方向の５０％時の伸張応力が３０ｃＮ〜２００ｃＮであることが好ましい。特に好ましくは、５０ｃＮ〜１５０ｃＮである。バスト部２の伸張応力が３０ｃＮ以上であれば、弛みなく胸にしっかりとフィットすることが可能となり、２００ｃＮ以下であれば、着用時の胸の形をつぶすことなく且つ締め付けによるきつさを抑制できる。
【００１８】
バスト部２においては、５０％繰り返し伸長試験における３回目のバスト部２のヨコ方向の伸張応力をＳ１とし、バスト脇低伸張部３のヨコ方向の伸張応力をＳ２とした場合、３.０≦Ｓ２／Ｓ１≦５.０であることが好ましい。より好ましくは、３.０≦Ｓ２／Ｓ１≦４.５である。Ｓ２／Ｓ１が３．０以上であることによって、バスト部２とバスト脇低応力部３のパワー差があることで、バスト部２がより胸にフィットすることが可能となり、密着性が上がる。Ｓ２／Ｓ１が５．０以下であることにより、着用時の胸の形をつぶすことなく且つ締め付けによるきつさを抑制できる。
【００１９】
バスト脇低伸張部３とバスト脇高伸張部４においては、５０％繰り返し伸長試験における３回目のバスト脇低伸張部３のヨコ方向の伸張応力をＳ２とし、バスト脇高伸張部４のヨコ方向の伸張応力をＳ３とした場合、３.０≦Ｓ２／Ｓ３≦５.０であることが好ましい。より好ましくは、３.０≦Ｓ２／Ｓ３≦４.５である。Ｓ２／Ｓ３が３．０以上あることによって、バスト脇高伸張部４が着用時に伸び、着用者のバストの多少の大小及び形に違いがあってもバスト部がフィットしやすくなり、サイズ応答性及び着用時のフィット性が高くなる。Ｓ２／Ｓ３が５．０以下であることにより、着用時の締め付けによるきつさを抑制できる。
【００２０】
図１および図２に示すように、バスト部２においては、中心から左右の脇に向かって、周方向にバスト部２、バスト脇低伸張部３、バスト脇高伸張部４、低伸張部５、バック部６の順で配置されることが望ましい。
更に好ましくは、図３および図４に示すように、バスト部２とバスト脇低伸張部３との間にバスト脇高伸張部（第２のバスト脇高伸張部）８がさらに配されることが好ましい。すなわち、中心から左右の脇に向かって、周方向にバスト部２、バスト脇高伸張部（第２のバスト脇高伸張部）８、バスト脇低伸張部３、バスト脇高伸張部（第１のバスト脇高伸張部）４、低伸張部５、バック部６の順で配置されることが好ましい。バスト部２の横にバスト脇低伸張部３が配されることで、２つの部位のパワーが異なることで、バスト部２がより胸にフィットすることが可能となり、バストとブラジャー用チューブトップ１の密着性が向上することで揺れの低減が向上する。
【００２１】
バスト脇高伸張部４及び低伸張部５の配置面積に関しては特に限定はしないが、それぞれ、ヨコ方向において、最大部の幅が、幅０．５〜３．０ｃｍであることが望ましい。上記幅は任意にデザインできる。
【００２２】
バック部６においては、バスト脇低伸長部５と同様の生地で形成し、境目に明確な差がなくてもよい。好ましくは、５０％繰り返し伸長試験における３回目のバスト脇低伸張部３のヨコ方向の伸張応力をＳ２とし、バック部の５０％繰り返し伸長試験における３回目のバスト脇低伸張部３のヨコ方向の伸張応力をＳ７とした場合、０.５≦Ｓ７／Ｓ２≦１.２である。Ｓ７／Ｓ２が０．５以上あることによって、緩みなく製品が体にフィットすることが可能となる。Ｓ７／Ｓ２が１．２以下であることにより、着用時の締め付けによるきつさを抑制できる。
【００２３】
帯部７においては、バスト部２のタテ方向端部より、幅２．０〜６．０ｃｍに亘って配置されていることが好ましい。上記幅は２．０〜５．０ｃｍであることがさらに好ましい。上記幅は任意にデザインできる。帯部７には、図１を参照し、製品の上部、下部に設置されており、バスト部２、バスト脇低伸張部３、バスト脇高伸張部４、低伸張部５、バック部６に接している。帯部７の幅が２．０ｃｍ以上ある場合は、帯部７により、体との密着性が向上し、胸が揺れる際の固定点となることで、揺れの低減効果が得られる。帯部の幅が６．０ｃｍ以下の場合は、着用時の締め付けによる圧迫感を抑制できる。
【００２４】
帯部７においては、３０％繰り返し伸長試験における３回目の帯部のタテ方向の３０％伸長応力をＳ４とし、バスト部のタテ方向の伸張応力をＳ５とした場合、３.０≦Ｓ４／Ｓ５≦５.０であることが好ましい。より好ましくは、３.０≦Ｓ４／Ｓ５≦４.５である。Ｓ４／Ｓ５が３．０以上あることによって、バスト部２が着用時に伸び、着用者のバストにフィットしやすくなり、密着性が高くなること、また、動作時に胸が揺れる際に固定点となり、揺れの低減に効果的である。Ｓ４／Ｓ５が５．０以下であることにより、着用時の締め付けによるきつさを抑制できる。
【００２５】
帯部７においては、５０％繰り返し伸長試験における３回目のバスト部２のヨコ方向の５０％時の伸張応力をＳ５とし、帯部７のヨコ方向の５０％時の伸張応力をＳ６とした際に、２．０≦Ｓ６／Ｓ５≦５．０であることが好ましく、より好ましくは、２．５≦Ｓ５／Ｓ１≦５．０である。Ｓ６／Ｓ５が２．０以上である場合は、帯部７が、動作時の胸の動きに対して、弛みなくフィットすることにより、ずれ難くなり、Ｓ６／Ｓ５が５．０以下である場合は、着用時の締め付けによるきつさを抑制できる。
【００２６】
本開示におけるブラジャー用チューブトップ１は、成型丸編において本体を作製した後、縫製により肩紐部を本体に縫着して使用してもよい。
【００２７】
本開示のブラジャー用チューブトップ１の各部材（すなわち、身生地及び補強部をそれぞれ構成する部材）の素材は特に限定されず、ポリエステル系繊維、ポリアミド系繊維等の合成繊維、ポリウレタン弾性繊維、レーヨン、キュプラ、アセテート等のセルロース系繊維、及び綿、麻等の天然繊維が好適に用いられる。本発明においては、各部材に適正な伸張特性を有する布帛を配置することが有効である。
編み機としては、周方向に縫製部を設けない点において、成型丸編み機や成型経編機が好適に用いられる。
【００２８】
生地に使用する糸としては、モノフィラメント又はマルチフィラメントで構成できる。マルチフィラメント糸には、二酸化チタン等の艶消剤、リン酸等の安定剤、ヒドロキシベンゾフェノン誘導体等の紫外線吸収剤、タルク等の結晶化核剤、アエロジル等の易滑剤、ヒンダードフェノール誘導体等の抗酸化剤、難燃剤、制電剤、顔料、蛍光増白剤、赤外線吸収剤、消泡剤等が含有されていてもよい。
【００２９】
本開示のブラジャー用チューブトップ１の各部材を構成する布帛素材の総繊度は、衣料等で一般的に使用されている範囲であることができる。中でも、強度及びソフトさの観点から、総繊度が約２２〜２００ｄｔｅｘであることが好ましい。
【００３０】
本開示のブラジャー用チューブトップ１の各部材に用いる布帛の目付は特に限定されないが、約５０〜３００ｇ／ｍ２が好ましい。
【００３１】
本開示のブラジャー用チューブトップ１は、ブラジャーと併用し、ブラジャーの内側に着用することで、ブラジャーの種類によらず、大きく着用圧を上げることなく、着用動作時の胸の揺れを低減できることにより、高い着用快適性が得られる。
【００３２】
本開示のブラジャー用チューブトップ１は、ブラジャーと併用することで動作時の胸が揺れる際の防振性に極めて優れる。本効果を評価するために、以下の方法を用いることができる。ブラジャーは、図５に示すような一般的な市販のカップ付きブラジャー１０を用いる。
身長１６０ｃｍ±８ｃｍで（トップバスト寸法−アンダーバスト寸法）の値が１７．５ｃｍ以上である５名の被験者にブラジャー用チューブトップを着用させた後に、その上からブラジャーを着用させ、トレッドミルで速度４．５ｋｍ／ｈ、１分間に１４０歩のペースで、着地時に片足が地面から離れているように小走りさせる。この際、鎖骨部及びバストトップ部に直径１．３ｃｍの反射球を取り付けておき、反射球を２台の高速カメラで２０秒間撮影する。鎖骨部の揺れが１０．０ｃｍ程度となるように小走りしたときの胸の揺れの指標として、（バストトップの揺れ）−（鎖骨の揺れ）（ｃｍ）の２０秒間での（極大値の平均）−（極小値の平均）（ｃｍ）を、ヨコ（Ｘ）、タテ（Ｙ）及び奥行き（Ｚ）の３方向について算出する。ここでＸ方向はブラジャーのヨコ方向を意味し、Ｙ方向及びＺ方向はそれぞれＸ方向に対して垂直である。３方向の値のうち最も大きい値を着用時の揺れ（ｃｍ）とし、（トップバスト寸法−アンダーバスト寸法）の値（ｃｍ）で除して揺れ値とした。
【実施例】
【００３３】
以下、実施例により本発明を具体的に説明する。無論、本発明はこれらに限定されるものではない。なお、実施例及び比較例で得たブラジャー用チューブトップは、以下の方法で評価した。
【００３４】
（１）各部生地のタテ及びヨコ方向伸張応力の測定
伸縮性編地の伸張応力は次の方法により測定した。
試料の大きさ：長さ１００ｍｍ（把持部を除く）
試験片の幅：２５ｍｍ
引張り試験機：テンシロン引張り試験機（（株）オリエンテック製  ＲＴＣ−１２１０Ａ）
初荷重：０．１Ｎ
引張り速度：３００ｍｍ／ｍｉｎ
引張り長及び測定：３０％もしくは５０％伸張まで伸張し、同じ速度で伸張後元の長さに戻し（回復させ）、この条件で伸張、回復を３回繰り返し、３回目の３０％もしくは５０％伸張時の伸張応力値を求めた。なお、試験片の幅が２５ｍｍでない場合は、測定後において、算出された応力を２５ｍｍ幅における換算値に再計算を実施し用いた。
【００３５】
（２）着用時の揺れ
身長１６０ｃｍ±８ｃｍで（トップバスト−アンダーバスト）によるブラジャーサイズがＤ６５である５名の被験者にブラジャー用チューブトップ及びブラジャーを着用させ、トレッドミルで速度４．５ｋｍ／ｈ、１分間に１４０歩のペースで、着地時に片足が地面から離れているように小走りさせた。（この際、鎖骨部及びバストトップ部に直径１．３ｃｍの反射球を取り付けておき、反射球を２台の高速カメラ（２５０コマ／ＳＥＣ）で２０秒間撮影した。鎖骨部の揺れは１０．０ｃｍ程度とした。着用時の胸の揺れの指標として、（バストトップの揺れ）−（鎖骨の揺れ）（ｃｍ）の２０秒間での（極大値の平均）−（極小値の平均）（ｃｍ）を算出し、ヨコ（Ｘ）、タテ（Ｙ）及び奥行き（Ｚ）の値のうち最も大きい方向の値を着用時の揺れ（ｃｍ）とし、（トップバスト−アンダーバスト）（ｃｍ）で除して揺れ値とした。５名の結果を平均して算出した。
【００３６】
（３）最大着圧
（株）エイエムアイ・テクノ社製の多点接触圧計（ＡＭＩ３０３７−１０）を用いて、ブラジャー及びブラジャー用チューブトップ着用時に、バック部における下辺テープ部、バック部中央部、肩紐部の肩中央部、肩紐部の後側付け根部、カップ上方、カップ脇部、及びカップ下方に対応する部分において、ブラジャー用チューブトップと着用者の間（ブラジャー単体着用時は、着用者とブラジャーとの間）にセンサーを挿入して着圧を測定し、得られた値のうち最大値を最大着圧（ｈＰａ）とした。
【００３７】
（４）快適性及び圧迫感、揺れ感、スレ感、着用動作時の痛み
圧迫性
（２）の着用試験時に以下の基準で評価し、モニターの評価を平均した。
５：  圧迫感がほとんどなく非常に快適である
４：  圧迫感が小さく快適である
３：  やや圧迫感があるが不快ではない。
２：  圧迫感があり不快である
１：  圧迫感が強く非常に不快である
揺れ感
（２）の着用試験時に以下の基準で評価し、モニターの評価を平均した。
５：  胸の揺れが気にならない
４：  胸の揺れがあまり気にならない
３：  どちらともいえない
２：  胸の揺れが気になる
１：  胸の揺れがかなり気になる
快適性
（２）の着用試験時に以下の基準で評価し、モニターの評価を平均した。
５：  快適である
４：  やや快適である
３：  どちらともいえない
２：  やや不快である
１：  不快である
【００３８】
［実施例１］
以下の方法で、図３，４に示す形状を有するブラジャー用チューブトップを作製した。
【００３９】
サントニー社製小寸丸編み機（１４ｉｎｃｈ，２８ＧＧ）を用い、ポリウレタン弾性糸２２ｄｔ／２ｆとナイロン繊維７８ｄｔ／４８ｆのシングルカバーリング糸及びナイロン繊維５６ｄｔ／４０ｆとキュプラ繊維３３ｄｔ／２４ｆの複合糸をニットインにて編み込むことで、作製した。なお、製品の周長は４６ｃｍになるように作製した。尚、帯部はタテ方向に上下とも３．０ｃｍになるように作製し、帯部を合わせた製品のタテ方向の長さは最大部で１７ｃｍであった。
【００４０】
なお、製品は、前中心から左右の脇に向かって、周方向にバスト部、バスト脇高伸張部、バスト脇低伸張部、バスト脇高伸張部、低伸張部の順で配置される形で作製し、バスト部ヨコのバスト脇高伸張部から、周方向の最大幅は、バスト脇高伸張部は１．５ｃｍ、バスト脇低伸張部は１．５ｃｍ、バスト脇高伸張部は１．２ｃｍにて作製を実施した。
【００４１】
バスト部の５０％繰り返し伸長試験における３回目のカップ部ヨコ方向の５０％時の伸張応力は７７ｃＮであり、バスト部とバスト脇低伸張部のヨコ方向の伸張応力比であるＳ２／Ｓ１は、３．９であり、バスト低伸張部とバスト脇高伸張部のヨコ方向の伸張応力比であるＳ２／Ｓ３は４．０であった。なお、帯部とバスト部のタテ方向の伸張応力比であるＳ４／Ｓ５は３．８であった。
【００４２】
本例では、ブラジャー用チューブトップをブラジャーの内側に着用し、着用試験を実施した。ブラジャーは、図５に示すような一般的な市販のカップ付きブラジャーを用いて試験を実施した。
【００４３】
［実施例２］
以下の方法で、図３，４に示す形状を有するブラジャー用チューブトップを作製した。
【００４４】
サントニー社製小寸丸編み機（１４ｉｎｃｈ，２８ＧＧ）を用い、ポリウレタン弾性糸３３ｄｔ／３ｆとナイロン繊維７８ｄｔ／４８ｆのシングルカバーリング糸及びナイロン繊維５６ｄｔ／４０ｆとキュプラ繊維３３ｄｔ／２４ｆの複合糸をニットインにて編み込むことで、作製した。なお、製品の周長は４６ｃｍになるように作製した。尚、帯部はタテ方向に上下とも３．０ｃｍになるように作製し、帯部を合わせた製品のタテ方向の長さは最大部で１７ｃｍであった。
【００４５】
なお、製品は、前中心から左右の脇に向かって、周方向にバスト部、バスト脇高伸張部、バスト脇低伸張部、バスト脇高伸張部、低伸張部の順で配置される形で作製し、バスト部ヨコのバスト脇高伸張部から、周方向の最大幅は、バスト部高伸張部は１．５ｃｍ、バスト部低伸張部は１．５ｃｍ、バスト部高伸張部は１．２ｃｍにて作製を実施した。
【００４６】
バスト部の５０％繰り返し伸長試験における３回目のカップ部ヨコ方向の５０％時の伸張応力は１３２ｃＮであり、バスト部とバスト脇低伸張部のヨコ方向の伸張応力比であるＳ２／Ｓ１は、３．４であり、バスト低伸張部とバスト脇高伸張部のヨコ方向の伸張応力比であるＳ２／Ｓ３は３．６であった。なお、帯部とバスト部のタテ方向の伸張応力比であるＳ４／Ｓ５は３．４であった。
【００４７】
本例では、ブラジャー用チューブトップをブラジャーの内側に着用し、着用試験を実施した。ブラジャーは、図５に示すような一般的な市販のカップ付きブラジャーを用いて試験を実施した。
【００４８】
［実施例３］
以下の方法で、図３，４に示す形状を有するブラジャー用チューブトップを作製した。
【００４９】
サントニー社製小寸丸編み機（１４ｉｎｃｈ，２８ＧＧ）を用い、ポリウレタン弾性糸４４ｄｔ／４ｆとナイロン繊維７８ｄｔ／４８ｆのシングルカバーリング糸及びナイロン繊維５６ｄｔ／４０ｆとキュプラ繊維３３ｄｔ／２４ｆの複合糸をニットインにて編み込むことで、作製した。なお、製品の周長は４６ｃｍになるように作製した。尚、帯部はタテ方向に上下とも３．０ｃｍになるように作製し、帯部を合わせた製品のタテ方向の長さは最大部で１７ｃｍであった。
【００５０】
なお、製品は、前中心から左右の脇に向かって、周方向にバスト部、バスト脇高伸張部、バスト脇低伸張部、バスト脇高伸張部、低伸張部の順で配置される形で作製し、バスト部ヨコのバスト脇高伸張部から、周方向の最大幅は、バスト部高伸張部は１．５ｃｍ、バスト部低伸張部は１．５ｃｍ、バスト部高伸張部は１．２ｃｍにて作製を実施した。
【００５１】
バスト部の５０％繰り返し伸長試験における３回目のカップ部ヨコ方向の５０％時の伸張応力は１８１ｃＮであり、バスト部とバスト脇低伸張部のヨコ方向の伸張応力比であるＳ２／Ｓ１は、３．４であり、バスト低伸張部とバスト脇高伸張部のヨコ方向の伸張応力比であるＳ２／Ｓ３は３．６であった。なお、帯部とバスト部のタテ方向の伸張応力比であるＳ４／Ｓ５は３．５であった。
【００５２】
本例では、ブラジャー用チューブトップをブラジャーの内側に着用し、着用試験を実施した。ブラジャーは、図５に示すような一般的な市販のカップ付きブラジャーを用いて試験を実施した。
【００５３】
［実施例４］
以下の方法で、図３，４に示す形状を有するブラジャー用チューブトップを作製した。
【００５４】
サントニー社製小寸丸編み機（１４ｉｎｃｈ，２８ＧＧ）を用い、ポリウレタン弾性糸２２ｄｔ／２ｆとナイロン繊維７８ｄｔ／４８ｆのシングルカバーリング糸及びナイロン繊維５６ｄｔ／４０ｆとキュプラ繊維３３ｄｔ／２４ｆの複合糸をニットインにて編み込むことで、作製した。なお、製品の周長は４６ｃｍになるように作製した。尚、帯部はタテ方向に上下とも３．０ｃｍになるように作製し、帯部を合わせた製品のタテ方向の長さは最大部で１７ｃｍであった。
【００５５】
なお、製品は、前中心から左右の脇に向かって、周方向にバスト部、バスト脇高伸張部、バスト脇低伸張部、バスト脇高伸張部、低伸張部の順で配置される形で作製し、バスト部ヨコのバスト脇高伸張部から、周方向の最大幅は、バスト部高伸張部は１．５ｃｍ、バスト部低伸張部は１．５ｃｍ、バスト部高伸張部は１．２ｃｍにて作製を実施した。
【００５６】
バスト部の５０％繰り返し伸長試験における３回目のカップ部ヨコ方向の５０％時の伸張応力は９５ｃＮであり、バスト部とバスト脇低伸張部のヨコ方向の伸張応力比であるＳ２／Ｓ１は、４．７であり、バスト低伸張部とバスト脇高伸張部のヨコ方向の伸張応力比であるＳ２／Ｓ３は４．２であった。なお、帯部とバスト部のタテ方向の伸張応力比であるＳ４／Ｓ５は３．０であった。
【００５７】
本例では、ブラジャー用チューブトップをブラジャーの内側に着用し、着用試験を実施した。ブラジャーは、図５に示すような一般的な市販のカップ付きブラジャーを用いて試験を実施した。
【００５８】
［実施例５］
以下の方法で、図３，４に示す形状を有するブラジャー用チューブトップを作製した。
【００５９】
サントニー社製小寸丸編み機（１４ｉｎｃｈ，２８ＧＧ）を用い、ポリウレタン弾性糸２２ｄｔ／２ｆとナイロン繊維７８ｄｔ／４８ｆのシングルカバーリング糸及びナイロン繊維５６ｄｔ／４０ｆとキュプラ繊維３３ｄｔ／２４ｆの複合糸をニットインにて編み込むことで、作製した。なお、製品の周長は４６ｃｍになるように作製した。尚、帯部はタテ方向に上下とも３．０ｃｍになるように作製し、帯部を合わせた製品のタテ方向の長さは最大部で１７ｃｍであった。
【００６０】
なお、製品は、前中心から左右の脇に向かって、周方向にバスト部、バスト脇高伸張部、バスト脇低伸張部、バスト脇高伸張部、低伸張部の順で配置される形で作製し、バスト部ヨコのバスト脇高伸張部から、周方向の最大幅は、バスト部高伸張部は１．５ｃｍ、バスト部低伸張部は１．５ｃｍ、バスト部高伸張部は１．２ｃｍにて作製を実施した。
【００６１】
バスト部の５０％繰り返し伸長試験における３回目のカップ部ヨコ方向の５０％時の伸張応力は７９ｃＮであり、バスト部とバスト脇低伸張部のヨコ方向の伸張応力比であるＳ２／Ｓ１は、４．１であり、バスト低伸張部とバスト脇高伸張部のヨコ方向の伸張応力比であるＳ２／Ｓ３は３．９であった。なお、帯部とバスト部のタテ方向の伸張応力比であるＳ４／Ｓ５は５．４であった。
【００６２】
本例では、ブラジャー用チューブトップをブラジャーの内側に着用し、着用試験を実施した。ブラジャーは、図５に示すような一般的な市販のカップ付きブラジャーを用いて試験を実施した。
【００６３】
［実施例６］
以下の方法で、図３，４に示す形状を有するブラジャー用チューブトップを作製した。
【００６４】
サントニー社製小寸丸編み機（１４ｉｎｃｈ，２８ＧＧ）を用い、ポリウレタン弾性糸２２ｄｔ／２ｆとナイロン繊維７８ｄｔ／４８ｆのシングルカバーリング糸及びナイロン繊維５６ｄｔ／４０ｆとキュプラ繊維３３ｄｔ／２４ｆの複合糸をニットインにて編み込むことで、作製した。なお、製品の周長は４６ｃｍになるように作製した。尚、帯部はタテ方向に上下とも３．０ｃｍになるように作製し、帯部を合わせた製品のタテ方向の長さは最大部で１７ｃｍであった。
【００６５】
なお、製品は、前中心から左右の脇に向かって、周方向にバスト部、バスト脇高伸張部、バスト脇低伸張部、バスト脇高伸張部、低伸張部の順で配置される形で作製し、バスト部ヨコのバスト脇高伸張部から、周方向の最大幅は、バスト部高伸張部は１．５ｃｍ、バスト部低伸張部は１．５ｃｍ、バスト部高伸張部は１．２ｃｍにて作製を実施した。
【００６６】
バスト部の５０％繰り返し伸長試験における３回目のカップ部ヨコ方向の５０％時の伸張応力は８０ｃＮであり、バスト部とバスト脇低伸張部のヨコ方向の伸張応力比であるＳ２／Ｓ１は、３．９であり、バスト低伸張部とバスト脇高伸張部のヨコ方向の伸張応力比であるＳ２／Ｓ３は３．８であった。なお、帯部とバスト部のタテ方向の伸張応力比であるＳ４／Ｓ５は２．７であった。
【００６７】
本例では、ブラジャー用チューブトップをブラジャーの内側に着用し、着用試験を実施した。ブラジャーは、図５に示すような一般的な市販のカップ付きブラジャーを用いて試験を実施した。
【００６８】
［実施例７］
以下の方法で、図３，４に示す形状を有するブラジャー用チューブトップを作製した。
【００６９】
サントニー社製小寸丸編み機（１４ｉｎｃｈ，２８ＧＧ）を用い、ポリウレタン弾性糸２２ｄｔ／２ｆとナイロン繊維７８ｄｔ／４８ｆのシングルカバーリング糸及びナイロン繊維５６ｄｔ／４０ｆとキュプラ繊維３３ｄｔ／２４ｆの複合糸をニットインにて編み込むことで、作製した。なお、製品の周長は４６ｃｍになるように作製した。尚、帯部はタテ方向に上下とも５．５ｃｍになるように作製し、帯部を合わせた製品のタテ方向の長さは最大部で２２ｃｍであった。
【００７０】
なお、製品は、前中心から左右の脇に向かって、周方向にバスト部、バスト脇高伸張部、バスト脇低伸張部、バスト脇高伸張部、低伸張部の順で配置される形で作製し、バスト部ヨコのバスト脇高伸張部から、周方向の最大幅は、バスト部高伸張部は１．５ｃｍ、バスト部低伸張部は１．５ｃｍ、バスト部高伸張部は１．２ｃｍにて作製を実施した。
【００７１】
バスト部の５０％繰り返し伸長試験における３回目のカップ部ヨコ方向の５０％時の伸張応力は７７ｃＮであり、バスト部とバスト脇低伸張部のヨコ方向の伸張応力比であるＳ２／Ｓ１は、４．０であり、バスト低伸張部とバスト脇高伸張部のヨコ方向の伸張応力比であるＳ２／Ｓ３は３．９であった。なお、帯部とバスト部のタテ方向の伸張応力比であるＳ４／Ｓ５は３．７であった。
【００７２】
本例では、ブラジャー用チューブトップをブラジャーの内側に着用し、着用試験を実施した。ブラジャーは、図５に示すような一般的な市販のカップ付きブラジャーを用いて試験を実施した。
【００７３】
［実施例８］
以下の方法で、図１，２に示す形状を有するブラジャー用チューブトップを作製した。
【００７４】
サントニー社製小寸丸編み機（１４ｉｎｃｈ，２８ＧＧ）を用い、ポリウレタン弾性糸２２ｄｔ／２ｆとナイロン繊維７８ｄｔ／４８ｆのシングルカバーリング糸及びナイロン繊維５６ｄｔ／４０ｆとキュプラ繊維３３ｄｔ／２４ｆの複合糸をニットインにて編み込むことで、作製した。なお、製品の周長は４６ｃｍになるように作製した。尚、帯部はタテ方向に上下とも３．０ｃｍになるように作製し、帯部を合わせた製品のタテ方向の長さは最大部で１７ｃｍであった。
【００７５】
なお、製品は、前中心から左右の脇に向かって、周方向にバスト部、バスト脇低伸張部、バスト脇高伸張部、低伸張部の順で配置される形で作製し、バスト部ヨコのバスト脇低伸張部から、周方向の最大幅は、バスト部低伸張部は１．５ｃｍ、バスト部高伸張部は１．２ｃｍにて作製を実施した。
【００７６】
バスト部の５０％繰り返し伸長試験における３回目のカップ部ヨコ方向の５０％時の伸張応力は８２ｃＮであり、バスト部とバスト脇低伸張部のヨコ方向の伸張応力比であるＳ２／Ｓ１は、３．６であり、バスト低伸張部とバスト脇高伸張部のヨコ方向の伸張応力比であるＳ２／Ｓ３は３．７であった。なお、帯部とバスト部のタテ方向の伸張応力比であるＳ４／Ｓ５は３．８であった。
【００７７】
本例では、ブラジャー用チューブトップをブラジャーの内側に着用し、着用試験を実施した。ブラジャーは、図５に示すような一般的な市販のカップ付きブラジャーを用いて試験を実施した。
【００７８】
［実施例９］
以下の方法で、図１，２に示す形状を有するブラジャー用チューブトップを作製した。
【００７９】
サントニー社製小寸丸編み機（１４ｉｎｃｈ，２８ＧＧ）を用い、ポリウレタン弾性糸３３ｄｔ／３ｆとナイロン繊維７８ｄｔ／４８ｆのシングルカバーリング糸及びナイロン繊維５６ｄｔ／４０ｆとキュプラ繊維３３ｄｔ／２４ｆの複合糸をニットインにて編み込むことで、作製した。なお、製品の周長は４６ｃｍになるように作製した。尚、帯部はタテ方向に上下とも３．０ｃｍになるように作製し、帯部を合わせた製品のタテ方向の長さは最大部で１７ｃｍであった。
【００８０】
なお、製品は、前中心から左右の脇に向かって、周方向にバスト部、バスト脇低伸張部、バスト脇高伸張部、低伸張部の順で配置される形で作製し、バスト部ヨコのバスト脇低伸張部から、周方向の最大幅は、バスト部低伸張部は２．０ｃｍ、バスト部高伸張部は２．０ｃｍにて作製を実施した。
【００８１】
バスト部の５０％繰り返し伸長試験における３回目のカップ部ヨコ方向の５０％時の伸張応力は１２１ｃＮであり、バスト部とバスト脇低伸張部のヨコ方向の伸張応力比であるＳ２／Ｓ１は、４．２であり、バスト低伸張部とバスト脇高伸張部のヨコ方向の伸張応力比であるＳ２／Ｓ３は３．５であった。なお、帯部とバスト部のタテ方向の伸張応力比であるＳ４／Ｓ５は３．３であった。
【００８２】
本例では、ブラジャー用チューブトップをブラジャーの内側に着用し、着用試験を実施した。ブラジャーは、図５に示すような一般的な市販のカップ付きブラジャーを用いて試験を実施した。
【００８３】
［比較例１］
本例では、ブラジャーのみを着用し、着用試験を実施した。ブラジャーは、図５に示すような一般的な市販のカップ付きブラジャーを用いて試験を実施した。
【００８４】
［比較例２］
以下の方法で、図３，４に示す形状を有するブラジャー用チューブトップを作製した。
【００８５】
サントニー社製小寸丸編み機（１４ｉｎｃｈ，２８ＧＧ）を用い、ポリウレタン弾性糸２２ｄｔ／２ｆとナイロン繊維５６ｄｔ／４０ｆのシングルカバーリング糸及びナイロン繊維２８ｄｔ／１２ｆとキュプラ繊維３３ｄｔ／２４ｆの複合糸をニットインにて編み込むことで、作製した。なお、製品の周長は４６ｃｍになるように作製した。尚、帯部はタテ方向に上下とも３．０ｃｍになるように作製し、帯部を合わせた製品のタテ方向の長さは最大部で１７ｃｍであった。
【００８６】
なお、製品は、前中心から左右の脇に向かって、周方向にバスト部、バスト脇高伸張部、バスト脇低伸張部、バスト脇高伸張部、低伸張部の順で配置される形で作製し、バスト部ヨコのバスト脇高伸張部から、周方向の最大幅は、バスト部高伸張部は１．５ｃｍ、バスト部低伸張部は１．５ｃｍ、バスト部高伸張部は１．２ｃｍにて作製を実施した。
【００８７】
バスト部の５０％繰り返し伸長試験における３回目のカップ部ヨコ方向の５０％時の伸張応力は１７ｃＮであり、バスト部とバスト脇低伸張部のヨコ方向の伸張応力比であるＳ２／Ｓ１は、２．８であり、バスト低伸張部とバスト脇高伸張部のヨコ方向の伸張応力比であるＳ２／Ｓ３は２．６であった。なお、帯部とバスト部のタテ方向の伸張応力比であるＳ４／Ｓ５は３．８であった。
【００８８】
本例では、ブラジャー用チューブトップをブラジャーの内側に着用し、着用試験を実施した。ブラジャーは、図５に示すような一般的な市販のカップ付きブラジャーを用いて試験を実施した。
【００８９】
［比較例３］
以下の方法で、図３，４に示す形状を有するブラジャー用チューブトップを作製した。
【００９０】
サントニー社製小寸丸編み機（１４ｉｎｃｈ，２８ＧＧ）を用い、ポリウレタン弾性糸３３ｄｔ／３ｆとナイロン繊維７８ｄｔ／４８ｆのシングルカバーリング糸及びナイロン繊維５６ｄｔ／４０ｆとキュプラ繊維３３ｄｔ／２４ｆの複合糸をニットインにて編み込むことで、作製した。なお、製品の周長は４６ｃｍになるように作製した。尚、帯部はタテ方向に上下とも３．０ｃｍになるように作製し、帯部を合わせた製品のタテ方向の長さは最大部で１７ｃｍであった。
【００９１】
なお、製品は、前中心から左右の脇に向かって、周方向にバスト部、バスト脇高伸張部、バスト脇低伸張部、バスト脇高伸張部、低伸張部の順で配置される形で作製し、バスト部ヨコのバスト脇高伸張部から、周方向の最大幅は、バスト部高伸張部は１．５ｃｍ、バスト部低伸張部は１．５ｃｍ、バスト部高伸張部は１．２ｃｍにて作製を実施した。
【００９２】
バスト部の５０％繰り返し伸長試験における３回目のカップ部ヨコ方向の５０％時の伸張応力は９５ｃＮであり、バスト部とバスト脇低伸張部のヨコ方向の伸張応力比であるＳ２／Ｓ１は、２．８であり、バスト低伸張部とバスト脇高伸張部のヨコ方向の伸張応力比であるＳ２／Ｓ３は２．６であった。なお、帯部とバスト部のタテ方向の伸張応力比であるＳ４／Ｓ５は３．４であった。
【００９３】
本例では、ブラジャー用チューブトップをブラジャーの内側に着用し、着用試験を実施した。ブラジャーは、図５に示すような一般的な市販のカップ付きブラジャーを用いて試験を実施した。
各実施例および比較例で得たブラジャー用チューブトップについての評価結果を表１に示す。
【表１】
2019026967.tif 000003
【００９４】
表１から明らかなように、各実施例及び比較例において、所定のブラジャー用チューブトップをブラジャーの内側に着用することで、胸の揺れ及び揺れ感を低減しつつも、着圧を上げることない高い快適性を有するブラジャーを得ることができる。
【産業上の利用可能性】
【００９５】
本発明のチューブトップは、高い防振性に加え、快適性にも優れるものとなり、各種ブラジャー（一般用ブラジャー、スポーツ用ブラジャー）と併用されるブラジャー用チューブトップとして好適に適用できる。
【符号の説明】
【００９６】
１    ブラジャー用チューブトップ
２    バスト部
３    バスト脇低伸張部
４    バスト脇高伸張部（第１のバスト脇高伸張部）
５    低伸張部
６    バック部
７    帯部
８    バスト脇高伸張部（第２のバスト脇高伸張部）
１０    ブラジャー
【図１】
2019026967.tif 000004
【図２】
2019026967.tif 000005
【図３】
2019026967.tif 000006
【図４】
2019026967.tif 000007
【図５】
2019026967.tif 000008